(57)【要約】【課題】機械式駐車場の利用率を高めて経済性を向上するために、機械式駐車場内で容易に取り付けや取り外しができ、且つ、物品の搬入搬出がし易い機械式駐車場用組立て式倉庫を提供する。【解決手段】機械式駐車場に載置して物品を保管する空間を創造する機械式駐車場用組立て式倉庫であって、前記空間の底面である底面部材と、前記空間の側面である２つの側面部材と、前記空間の背面である背面部材と、前記空間の入口である扉部材とを有し、前記底面部材は、前記機械式駐車場の車輪走行路に対応する２つの脚部と、前記機械式駐車場の入り口段差を覆う平板形状の傾斜部と、を備え、２つの前記脚部は、前記底面部材を支持する下駄の歯形状であり、前記傾斜部は、前記底面部材の入口端面に回転可能に取り付けられ、物品の搬入搬出時に回転して通路の段差を覆う、ことを特徴とする。【選択図】図１
2018188905.tif 000002
【特許請求の範囲】
【請求項１】
機械式駐車場に載置して物品を保管する空間を創造する機械式駐車場用組立て式倉庫であって、
前記空間の底面である底面部材と、
前記空間の側面である２つの側面部材と、
前記空間の背面である背面部材と、
前記空間の入口である扉部材と
を有し、
前記底面部材は、前記機械式駐車場の車輪走行路に対応する２つの脚部と、前記機械式駐車場の入り口段差を覆う平板形状の傾斜部と、を備え、
２つの前記脚部は、前記底面部材を支持する下駄の歯形状であり、
前記傾斜部は、前記底面部材の入口端面に回転可能に取り付けられ、物品の搬入搬出時に回転して通路の段差を覆う、
ことを特徴とする機械式駐車場用組立て式倉庫。
【請求項２】
２つの前記側面部材の間の前記空間を仕切る少なくとも１つ以上の仕切り部材を備える、
ことを特徴とする、請求項１に記載の機械式駐車場用組立て式倉庫。
【請求項３】
前記背面部材、前記側面部材および前記扉部材の高さ方向の大きさは１５００ｍｍ以下である、
ことを特徴とする、請求項１又は請求項２に記載の機械式駐車場用組立て式倉庫。
【請求項４】
請求項１乃至請求項３のいずれか一つに記載の機械式駐車場用組立て式倉庫を備える機械式駐車場。
【発明の詳細な説明】
【技術分野】
【０００１】
本発明は、機械式駐車場に載置して物品を保管する空間を創造する機械式駐車場用組立て式倉庫に関する。本発明は、物品を保管する空間を創造する機械式駐車場用組立て式倉庫を備える機械式駐車場に関するものであってもよい。
【背景技術】
【０００２】
立体駐車場として機械式駐車場が知られている。特許文献１では、車両を搭載可能な複数の底板を有し、格納物取出階を含む複数階層からなる立体格納庫であって、前記格納物取出階が１ ８ ０ ｃ ｍ 以上の格納可能高さを有し、格納可能高さが前記格納物取出階の格納高さより低い階を１ 又は複数有し、前記底板のうち少なくとも２ 以上の底板が昇降手段付き底板であり、前記昇降手段付き底板の１ 又は複数に、車両以外の物品を収納する物品収納手段を有し、前記底板が、中央の長手方向に凸部を有し、前記凸部を挟んで２ 本の平行した溝部を有し、前記物品収納手段として、前記溝部に向かい合わせで嵌め込んだ複数の収納ボックスを含み、前記凸部が歩行者用通路であることを特徴とする立体格納庫に関する技術を開示している。
【先行技術文献】
【特許文献】
【０００３】
【特許文献１】特開２０１６−１５６７３７号公報
【発明の概要】
【発明が解決しようとする課題】
【０００４】
高さ制限（例えば１８０ｃｍ未満）やその他の制限がある場合でも、機械式駐車場内で容易に取り付けや取り外しができる組立て式倉庫が求められている。また、設置コストや製造コストを更に低減した機械式駐車場用組立て式倉庫が求められている。
【０００５】
本発明は、機械式駐車場の利用率を高めて経済性を向上するために、機械式駐車場内で容易に取り付けや取り外しができ、且つ、物品の搬入搬出がし易い機械式駐車場用組立て式倉庫を提供することを目的とする。また、本発明は、容易に取り付けや取り外しができ、且つ、物品の搬入搬出がし易い機械式駐車場用組立て式倉庫を備える機械式駐車場に関するものであってもよい。
【課題を解決するための手段】
【０００６】
上記課題を解決するために、本発明の一つの実施形態は、機械式駐車場に載置して物品を保管する空間を創造する機械式駐車場用組立て式倉庫であって、前記空間の底面である底面部材と、前記空間の側面である２つの側面部材と、前記空間の背面である背面部材と、前記空間の入口である扉部材とを有し、前記底面部材は、前記機械式駐車場の車輪走行路に対応する２つの脚部と、前記機械式駐車場の入り口段差を覆う平板形状の傾斜部と、を備え、２つの前記脚部は、前記底面部材を支持する下駄の歯形状であり、前記傾斜部は、前記底面部材の入口端面に回転可能に取り付けられ、物品の搬入搬出時に回転して通路の段差を覆う、ことを特徴とする機械式駐車場用組立て式倉庫を提供する。
【０００７】
本発明の他の実施形態は、上記の機械式駐車場用組立て式倉庫であって、２つの前記側面部材の間の前記空間を仕切る少なくとも１つ以上の仕切り部材を備える、ことを特徴とする機械式駐車場用組立て式倉庫であってもよい。また、本発明の他の実施形態は、上記の機械式駐車場用組立て式倉庫であって、前記背面部材、前記側面部材および前記扉部材の高さ方向の大きさは１５００ｍｍ以下である、ことを特徴とする機械式駐車場用組立て式倉庫であってもよい。
【０００８】
本発明の他の実施形態は、上記のいずれか一つの機械式駐車場用組立て式倉庫を備える機械式駐車場であってもよい。
【発明の効果】
【０００９】
本発明に係る機械式駐車場用組立て式倉庫および機械式駐車場によれば、機械式駐車場の利用率を高めて経済性を向上するために、機械式駐車場内で容易に取り付けや取り外しができ、且つ、物品の搬入搬出をし易い機械式駐車場用組立て式倉庫を提供することができる。
【図面の簡単な説明】
【００１０】
【図１】本考案の実施形態に係る機械式駐車場用組立て式倉庫の一例を説明する説明図である。
【図２】本考案の実施形態に係る機械式駐車場用組立て式倉庫を配置する機械式駐車場の一例を説明する説明図である。
【図３】本考案の実施形態に係る機械式駐車場用組立て式倉庫の底面部材の一例を説明する説明図である。
【図４】本考案の実施形態に係る機械式駐車場用組立て式倉庫の底面部材の組み立て方法の一例を説明する説明図である。
【図５】本考案の実施形態に係る機械式駐車場用組立て式倉庫の背面部材、側面部材および扉部材の組み立て方法の一例を説明する説明図である。
【図６】本考案の実施形態に係る機械式駐車場用組立て式倉庫の仕切り部材の組み立て方法の例を説明する説明図である。
【発明を実施するための形態】
【００１１】
実施形態に係る機械式駐車場用組立て式倉庫（以下、「倉庫」という。）および機械式駐車場の例を用いて、本発明を説明する。なお、本発明は、以後に説明する倉庫または機械式駐車場以外でも、車両を駐車する駐車場であれば、いずれのものにも用いることができる。また、機械式駐車場の構造、機構などは、特に限定されない。
【００１２】
図１乃至図６を用いて、本発明の実施形態に係る倉庫の構成を説明する。ここで、図１は、本考案の実施形態に係る倉庫１００の一例を説明する説明図である。図２は、本考案の実施形態に係る倉庫を配置する機械式駐車場ＣＲの一例を説明する説明図である。図３（ａ）は、本考案の実施形態に係る倉庫１００の底面部材１０の一例を説明する説明図（上方からの斜視図）である。図３（ｂ）は、本考案の実施形態に係る倉庫１００の底面部材１０の一例を説明する説明図（下方からの斜視図）である。図４（ａ）は、本考案の実施形態に係る倉庫１００の底面部材１０の組み立て方法（機械式駐車場に載置）の一例を説明する説明図である。図４（ｂ）は、本考案の実施形態に係る倉庫１００の底面部材１０の組み立て方法（傾斜部に配置）の一例を説明する説明図である。図５（ａ）は、本考案の実施形態に係る倉庫１００の背面部材２１の組み立て方法の一例を説明する説明図である。図５（ｂ）は、本考案の実施形態に係る倉庫１００の側面部材２２および扉部材２３の組み立て方法の一例を説明する説明図である。図６（ａ）は、本考案の実施形態に係る倉庫１００の縦仕切り用の仕切り部材２４の組み立て方法の例を説明する説明図である。図６（ｂ）は、本考案の実施形態に係る倉庫１００の横仕切り用の仕切り部材２４の組み立て方法の例を説明する説明図である。なお、図１等に示す構成等は一例であり、本発明は図１等に示す構成等に限定されるものではない。
【００１３】
図１に示すように、本発明に係る倉庫１００は、機械式駐車場ＣＲ（図２）の車輪走行路Ｒ１、Ｒ２に載置して物品を保管する空間を創造するものである。本発明に係る倉庫１００は、創造する空間の底面である底面部材１０（図２、図３）と、空間の側面である２つの側面部材２２（図５（ｂ））と、空間の背面である背面部材２１（図５（ａ））と、空間の入口である扉部材２３（図５（ｂ））とを有する。なお、本発明に係る倉庫１００の形状は、設計、実験、計算などで予め定められる形状とすることができる。本発明に係る倉庫１００の材質は、特に限定されない。また、本発明に係る倉庫１００の形状は、高さ制限がある機械式駐車場に対応して、背面部材２１、側面部材２２および扉部材２３の高さ方向の大きさは例えば１５００ｍｍ以下とすることができる。
【００１４】
図３に示すように、本発明に係る底面部材１０は、機械式駐車場ＣＲ（図２）の車輪走行路に対応する２つの脚部１０ａ、１０ｂと、機械式駐車場ＣＲ（図２）の入り口段差を覆う平板形状の傾斜部１０ｃと、を備える。２つの脚部１０ａ、１０ｂは、底面部材１０を支持する下駄の歯形状の凸部材（機械式駐車場ＣＲの車輪走行路Ｒ１、Ｒ２に配置するレール形状の部材）である。図４に示すように、傾斜部１０ｃは、底面部材１０の入口端面に回転可能に取り付けられ、物品の搬入搬出時に回転して、通路の段差を覆う（図４（ｂ）のＭｂ）。これにより、本発明に係る倉庫１００は、物品の搬入搬出時に、倉庫の入口（駐車場のパレット）の段差を隠すことができるので、台車で物品を搬入搬出し易く、さらに利用者が躓くことを防止することができる。
【００１５】
図６に示すように、本発明に係る倉庫１００は、本実施形態では、２つの側面部材の間の空間を仕切る少なくとも１つ以上の仕切り部材２４を備える。これにより、本発明に係る倉庫１００は、整理し易いように倉庫内部を小分けすることができる。なお、本発明に係る仕切り部材２４の形状や構成、機構などは、特に限定されない。
【００１６】
図４乃至図６を用いて、本発明の実施形態に係る倉庫１００の組み立て方法を説明する。まず、図４（ａ）に示すように、倉庫１００の組み立て時に、機械式駐車場ＣＲ（図２）に底面部材１０を載置する。このとき、機械式駐車場ＣＲ（図２）の車輪走行路Ｒ１、Ｒ２に底面部材１０の２つの脚部１０ａ、１０ｂ（図３）を配置して、底面部材１０を固定（載置）することができる。次に、図４（ｂ）に示すように、底面部材１０の傾斜部１０ｃを回転して通路の段差を覆う。次いで、図５（ａ）に示すように、底面部材１０の入口とは反対側の端面に背面部材２１を垂直に取り付ける。また、図５（ｂ）に示すように、底面部材１０の両側面の端面に側面部材２２を垂直に取り付ける。更に、図５（ｂ）に示すように、側面部材２２の入口側の端面に扉部材２３を回転可能に取り付ける。なお、扉部材２３は、盗難防止対策としてカギ付きのものであってもよい。
【００１７】
また、図６（ａ）および図６（ｂ）に示すように、倉庫１００の組み立て時に、仕切り部材２４を備えてもよい。これにより、本発明に係る倉庫１００によれば、仕切り部材２４を用いて収納した物品の移動を防止でき、且つ、使いやすい構造およびデザインとすることができる。また、図１に示すように、倉庫１００の組み立て時に、脱着可能な天板（上面の平板）を取り付けてもよい。なお、屋内の機械式駐車場の場合には、取り付けた天板の防水機能は不要である。
【００１８】
以上のとおり、本発明に係る倉庫１００によれば、容易に組み立てることができるので、機械式駐車場内で容易に取り付けや取り外しができる。また、本発明に係る倉庫１００を備える機械式駐車場によれば、空きの駐車スペースを倉庫として利用することができるので、機械式駐車場の利用率を高めて経済性を向上することができる。さらに、本発明に係る倉庫１００によれば、単純な構造で容易に設置できるので、設置コストや製造コストを大幅に軽減することができる。
【００１９】
また、本発明に係る倉庫１００および倉庫１００を備える機械式駐車場によれば、（ａ） 利用価値のなかったデッドスペースを有効に使うことができ、かつ利便性を向上することができる。（ｂ）本発明に係る倉庫１００および倉庫１００を備える機械式駐車場によれば、例えばマンションに隣接して設置して、収納スペース兼駐車場として利用することができ、住民の利便性を向上することができる。（ｃ）本発明に係る倉庫１００および倉庫１００を備える機械式駐車場によれば、台車を使って、容易に荷物を収納することができる。（ｄ）本発明に係る倉庫１００および倉庫１００を備える機械式駐車場によれば、車を所有する人が減っている現在において倉庫やトランクルームとして駐車場を有効利用できるので、時代のニーズ・近隣環境に適した機械式駐車場とすることができる。
【００２０】
以上のとおり、本発明に係る実施形態について説明したが、本発明は上記の実施形態に限定されるものではない。すなわち、本発明は、特許請求の範囲に記載の内容に基づいて、様々に変形、変更又はその他任意に改変され得る。
【符号の説明】
【００２１】
１００  ：  機械式駐車場用組立て式倉庫
１０  ：  底面部材
１０ａ，１０ｂ  ：  脚部
１０ｃ  ：  傾斜部
２１  ：  背面部材
２２  ：  側面部材
２３  ：  扉部材
２４  ：  仕切り部材
ＣＲ  ：  機械式駐車場
【図１】
2018188905.tif 000003
【図２】
2018188905.tif 000004
【図３】
2018188905.tif 000005
【図４】
2018188905.tif 000006
【図５】
2018188905.tif 000007
【図６】
2018188905.tif 000008